(57)【要約】【課題】隣接する異種雰囲気の雰囲気ガスが混合することがなく、ガス精製装置の容量もコンパクトにでき、しかも、シールロール部を通過する鋼帯には圧下力が発生せず、シールロールによりスリップ疵や噛み込み傷が発生しない雰囲気ガスのシール方法およびシール装置を提供する。【解決手段】不活性ガスを封入して鋼帯を熱処理する熱処理炉の入口および／または出口における雰囲気ガスのシール方法であって、前記鋼帯を挟む１対のシールロールを複数組配設し、該１対をなすシールロール同士を前記鋼帯の走行方向にずらして該鋼帯の最大板厚以上の隙間を開けて設置し、前記複数組のシールロールの間から雰囲気ガスを排出することを特徴とする雰囲気ガスのシール方法およびシール装置。【選択図】  図３
2005060738.tif 000002
【特許請求の範囲】
【請求項１】
不活性ガスを封入して鋼帯を熱処理する熱処理炉の入口および／または出口における雰囲気ガスのシール方法であって、
前記鋼帯を挟む１対のシールロールを複数組配設し、
該１対をなすシールロール同士を前記鋼帯の走行方向にずらして該鋼帯の最大板厚以上の隙間を開けて設置し、
前記複数組のシールロールの間から雰囲気ガスを排出することを特徴とする雰囲気ガスのシール方法。
【請求項２】
前記複数組のシールロールの間から排出する雰囲気ガスを、雰囲気ガス排気管を介してガス精製装置に導入し、該ガス精製装置により不活性ガスを分離し、該分離した不活性ガスを前記熱処理炉に供給することを特徴とする請求項１に記載の雰囲気ガスのシール方法。
【請求項３】
前記複数組のシールロールによって分割される領域を鋼帯の進行方向に向かって手前から、１組目のシールロール側、１組目と２組目の間、２組目のシールロール側とするとき、１組目のシールロール側の圧力Ａ、１組目と２組目の間の圧力Ｂ、２組目のシールロール側の圧力Ｃが、下記▲１▼式または▲２▼式を満足するように制御して、１組目と２組目のシールロールの間から不活性ガスを吸引することを特徴とする請求項１または請求項２に記載の雰囲気ガスのシール方法。
2005060738.tif 000005
【請求項４】
前記１組目のシールロール側から雰囲気ガスを排出する雰囲気ガス排出管を設置し、該雰囲気ガス排気管をミキサに連結してＮ２ガスと混合して熱処理炉に連結している入側および出側の炉体に吹き込むことを特徴とする請求項１乃至請求項３に記載の雰囲気ガスのシール方法。
【請求項５】
不活性ガスを封入して鋼帯を熱処理する熱処理炉の入口および／または出口における雰囲気ガスのシール装置であって、
前記鋼帯を挟む１対のシールロールを複数組配設し、
該１対をなすシールロール同士を前記鋼帯の走行方向にずらして、該鋼帯の最大板厚以上の隙間を開けて設置したことを特徴とする雰囲気ガスのシール方装置。
【請求項６】
前記１対のシールロールは、該シールロールの軸中心を結んだ軸線とシールロールの外形が接する点のロール間距離Ｌが下記▲３▼式を満足することを特徴とする請求項５に記載の雰囲気ガスシール装置。
2005060738.tif 000006
【発明の詳細な説明】
【０００１】
【発明が属する技術分野】
本発明は熱処理炉に使用される雰囲気ガスをシールする方法および装置に関する。
【０００２】
【従来の技術】
鋼帯の熱処理炉、例えば，連続焼鈍炉は、加熱帯・均熱帯・徐冷帯・急冷帯・過時効帯・冷却帯等で構成される炉体内に上記構成の順に鋼帯を通板させて所定のヒートパターンで熱処理が行われている。熱処理中は鋼帯の表面が酸化すると製品の外観の損ねることから、通常熱処理炉内では雰囲気ガスとして水素を数％含有した、水素ガスと窒素ガスの混合したＨＮガスなどの不活性ガスが一般的に使用される。上記構成中、加熱帯については設備をコンパクトにするため出来るだけ速く加熱する直火加熱方式や誘導加熱方式が採用されている。
また、急冷帯における急速冷却技術として、雰囲気ガスを熱交換機にて冷却して、冷却した雰囲気間を鋼帯に吹き付け、吹き付け後の雰囲気ガスを熱交換機で冷却する循環式のガスジェット冷却法や冷却ロールに鋼帯を押し付けて冷却するロール冷却法、水と気体を混合してミスト上にして鋼帯に吹き付けるミスと冷却法等がある。このうちガスジェット冷却法は鋼帯の形状の安定性や設備コスト面から広く採用されている。
【０００３】
しかしながら、ガスジェット冷却法では冷却速度が小さいという欠点があり、この欠点を補うべく、急冷帯では水素濃度を高めて冷却能を高くしたＨＮガスが使用されている。
この技術に関しては、例えば、特開平０９−２３５６２６号公報に、急冷帯鋼帯に吹き付ける冷却ガスとして水素濃度が３０〜６０％、吹き付けガス温度を３０℃〜１５０℃、吹き付け速度を１００〜１５０ｍ／秒とすることで鋼帯の冷却速度を高くする方法が開示されている。
【０００４】
これにより水素濃度を上げて、冷却速度を確保することは可能となったが、高水素濃度のガスで熱処理する場合に問題となるのが、高濃度の水素ガスのシール方法である。特開平９−２３５６２６号公報にもガスシールについては概略記載されているが、具体的な記載は見当たらない。
【０００５】
このように、熱処理を構成する加熱帯、均熱帯、徐冷帯、急冷帯、過時効帯、最終冷却帯では、それぞれの炉体に導入する雰囲気ガスの成分が異なるため、それぞれの炉体の入口および出口にはシール装置が設置されている。
また、ガスシール装置に関しては、例えば、特開平０６−３４６１５５号公報に、ストリップの上下面にそれぞれ接触するシールロールをストリップの走行方向に間隔をおいて少なくとも２列以上備え、これらのシールロールの間であってストリップの上下面に向けてシール用ガスを供給可能とし、更に前記ストリップの走行方向と同じ向きに気体を高速噴射するノズルをパスラインの上下に備え、これらのノズルと前記シールロールまでをエジェクタ流路用のスロートとしたシール装置が開示されている。
【０００６】
また、急冷帯の冷却ガスハースロール室への侵入を防止する装置としては、特開平０９−９５７４１号公報に、噴射された冷却ガスがハースロール側へ流出するのを防止するシールロールと、これら全体を囲む炉体とからなる連続焼鈍炉の冷却帯において、上記シールロールを対向するノズル群側でかつ鋼帯の両面に対してそれぞれ片面のみが別個に接触するように上下に千鳥配設した連続焼鈍炉の冷却帯である。また、シールロールが次式の関係を満足する連続焼鈍炉の冷却帯が開示されている。
式：Ｌ／（Ｄ−ｄ）≧３
【０００７】
【特許文献１】特開平０９−２３５６２６号公報
【特許文献２】特開平０６−３４６１５５号公報
【特許文献３】特開平０９−９５７４１号公報
【０００８】
【発明が解決しようとする課題】
特開平０９−２３５６２６号公報に開示されている技術では，急冷処理を行う炉体と隣接する炉体との間のガスシールを行って防爆するとあり、鋼帯に非接触型のシール装置が開示されている。両側のチャンバから鋼帯に向けて異種の雰囲気ガスを吹き付けて、中央のチャンバから鋼帯に吹き付け後の雰囲気ガスを吸い込んでシールする場合、両側から吹き付けるシールガスが炉体に進入し、炉圧が上昇することが考えられる。炉圧が上昇すると炉体の別のシール部からのリークが発生し炉体外へ放出され安全上問題がある。また、炉圧を防止するため、両側チャンバから排出されたシールガスを吸引するブロワがそれぞれに必要となり、設備費が大幅にアップし、設備的にも大掛かりなものとなる。
【０００９】
また、シールロールを２列以上配置し、シールロール間にガスを供給してガスシール層を形成し、このガスシール層の下流側に高速ガス流を噴射するノズルをパスラインの上下に設け、このガスの噴射によって発生するエジェクタ効果によってシールロール間のガスを外へ引き出すシール装置においては、隣接する炉体の一方側の炉体へのガスの流入は防止することができるが、他方側の炉体へ流出し、他方側の炉体の炉圧が上昇する。このため隣接する炉体の炉圧バランスが壊れ、他方側の炉圧に応じた噴出流速が必要となる。このため、高速噴出ガスの速度を更に高速に吹き出すことが必要となり、これによって更に他方の炉圧が上昇するという繰り返しとなる。また、一方側炉体からの雰囲気ガスも流出することになる。
【００１０】
また、ガス噴射冷却帯で噴射したガスがロール室内に流入することを防止するためロール室の上部にシールロールを配置した冷却装置ではプレナムチャンバから噴射されたガスがロール室に流入することを防止するため一定の距離を設けて、その距離間に千鳥にシールロールを配置するもので、プレナムチャンバとロール室との空間が必要となり冷却帯の設備が大きくなる。また、プレナムチャンバとロール室間に空間を設けてもロール接触面からのガスのリークは防止できるが、ロール背面に入出したガスは前記空間に滞留して結果的にこの空間に滞留したガスは鋼帯が通過するスリット状貫通孔からロール室へ侵入し、シールはできなかった。
そこで本発明は、前述の従来技術の問題点を解決し、隣接する異種雰囲気の雰囲気ガスが混合することがなく、ガス精製装置の容量もコンパクトにでき、しかも、シールロール部を通過する鋼帯には圧下力が発生せず、シールロールによりスリップ疵や噛み込み傷が発生しない雰囲気ガスのシール方法およびシール装置を提供することを課題とする。
【００１１】
【課題を解決するための手段】
本発明は、前述の課題を解決するために鋭意検討の結果なされたものであり、その要旨とするところは特許請求の範囲に記載した通りの下記内容である。
（１）不活性ガスを封入して鋼帯を熱処理する熱処理炉の入口および／または出口における雰囲気ガスのシール方法であって、
前記鋼帯を挟む１対のシールロールを複数組配設し、
該１対をなすシールロール同士を前記鋼帯の走行方向にずらして該鋼帯の最大板厚以上の隙間を開けて設置し、
前記複数組のシールロールの間から雰囲気ガスを排出することを特徴とする雰囲気ガスのシール方法。
（２）前記複数組のシールロールの間から排出する雰囲気ガスを、雰囲気ガス排気管を介してガス精製装置に導入し、該ガス精製装置により不活性ガスを分離し、該分離した不活性ガスを前記熱処理炉に供給することを特徴とする（１）に記載の雰囲気ガスのシール方法。
（３）前記複数組のシールロールによって分割される領域を鋼帯の進行方向に向かって手前から、１組目のシールロール側、１組目と２組目の間、２組目のシールロール側とするとき、１組目のシールロール側の圧力Ａ、１組目と２組目の間の圧力Ｂ、２組目のシールロール側の圧力Ｃが、下記▲１▼式または▲２▼式を満足するように制御して、１組目と２組目のシールロールの間から不活性ガスを吸引することを特徴とする（１）または（２）に記載の雰囲気ガスのシール方法。
2005060738.tif 000003
【００１２】
（４）前記１組目のシールロール側から雰囲気ガスを排出する雰囲気ガス排出管を設置し、該雰囲気ガス排気管をミキサに連結してＮ２ガスと混合して熱処理炉に連結している入側および出側の炉体に吹き込むことを特徴とする（１）乃至（３）に記載の雰囲気ガスのシール方法。
（５）不活性ガスを封入して鋼帯を熱処理する熱処理炉の入口および／または出口における雰囲気ガスのシール装置であって、
前記鋼帯を挟む１対のシールロールを複数組配設し、
該１対をなすシールロール同士を前記鋼帯の走行方向にずらして、該鋼帯の最大板厚以上の隙間を開けて設置したことを特徴とする雰囲気ガスのシール方装置。
（６）前記１対のシールロールは、該シールロールの軸中心を結んだ軸線とシールロールの外形が接する点のロール間距離Ｌが下記▲３▼式を満足することを特徴とする（５）に記載の雰囲気ガスシール装置。
2005060738.tif 000004
【００１３】
【発明の実施の形態】
本発明の実施形態について、図１乃至図５を用いて詳細に説明する。
図１および図２は、本発明の雰囲気ガスのシール装置を設置した熱処理炉を例示する図である。
図３は、本発明の雰囲気ガスのシール装置におけるシール部を例示する図である。
図４は、本発明を採用した場合の炉内圧力分布を示す図である。
図５は、シールロールの離間寸法とリーク量の関係を示す図である。
図１において、本発明のシール方法およびシール装置を連続焼鈍炉へ採用した場合の実施例を示す。
連続焼鈍炉は加熱帯１、均熱帯２、徐冷帯３、急冷帯４、過時効帯５、最終冷却帯６で構成されている。鋼帯９は加熱帯１にて所定の温度に加熱され、均熱帯２を経て、徐冷帯３、急冷帯４、処理材料に応じて過時効帯５を通過し、最終冷却帯により所定の温度まで冷却され、炉外に搬送される。加熱帯１と均熱帯２との間に本発明のシール装置を採用している。
【００１４】
加熱帯１では、鋼帯９の加熱装置として輻射加熱方式や直火バーナによる加熱装置が採用されている。噴射加熱の場合、炉内の雰囲気ガスは、均熱帯２に使用する雰囲気ガスと変わらないため、加熱帯１と均熱帯２との間にシール装置を設置する必要はないが、直火バーナにより鋼帯９を加熱する場合、加熱帯１の雰囲気ガスは弱酸化雰囲気となるため、加熱帯１に連結される均熱帯２とはシールが必要になる。図１では加熱帯１と均熱帯２を連結するスロート部にシールロール方式のシール装置を配置した。シールロールは鋼帯９を挟んで上下に１対とし、鋼帯９の走行方向に間隔をあけて２組配置している。そしてこの間から雰囲気ガスを排気する雰囲気ガス排気管１３を連結している。
【００１５】
シールロールは鋼帯の上下に鋼帯を挟んで鋼帯の走行方向にずらして、シールロールの面はシールロールを通過する鋼帯の最大板厚の隙間をあけて配置し、複数組（本実施形態では２組）のシールロールの間から雰囲気ガスを排気するようにする。このシール装置により隣接する炉体の雰囲気ガスがそれぞれの炉体の侵入することはない。また、図３に示すように上下に配置するシールロールのうち鋼帯９の上面に配置するシールロール１０−２は鋼帯９の下面に配置するシールロール１０−１よりずらして配置している。これにより鋼帯９の上面に位置するシールロール１０−２は鋼帯９に接触させるのみで、上下に配置する場合には板厚の変更等により鋼帯９を挟持することになるため、シールロール１０−１．１０−２のスリップや異物の噛みこみによりより鋼帯９に疵が発生することが懸念され上部に配置するシールロール１０−２は板厚の変化分にプラスして若干の余裕をみて隙間を開けて配置することになる。この状態でも本発明のシール方法で問題はないが、さらにシール性を向上させるため上下シールロールのうち上部シールロール１０−２を鋼帯９の走行方向にずらして配置している。上部シールロール１０−２をずらすことで鋼帯９の板厚が変化しても鋼帯９をシールロールで挟持しないので、鋼帯９へのシールロールにより起因する疵は発生しない。
【００１６】
また、図１では急冷帯４に入口および出口に本発明のシール装置１０を配置している。急冷帯４の冷却方法としてガスジェット循環方式の冷却装置を採用している。そして、冷却能力を高めるため、雰囲気ガスとして水素濃度５０％以上の冷媒を使用して鋼帯の急速冷却を行っている。この場合急冷帯４の前後に連結する徐冷帯３および過時効帯５の雰囲気とは異種雰囲気となるため急冷帯４の入口および出口に本発明のシール装置１０を配置している。具体例を図２に示す。
【００１７】
図２において徐冷帯３を通過した鋼帯９は徐冷帯３出側のトップロール７を介して急冷帯４の入口のトップロール７により急冷帯４内に搬送される。搬送された鋼帯９は急冷帯４内に配置した冷却装置１２により鋼帯に冷媒を吹き付けて所定の温度まで急速冷却し、急冷帯４出口に配置したボトムロール８を介して次のチャンバへ搬送される。図２では過時効帯５を連結しているが、処理形態によっては最終冷却帯の場合もある。
徐冷帯３の出側のトップロール７と急冷帯４入側のトップロール７との間はスロート１１により連結され、このスロート１１内に鋼帯９を搬送させて急冷帯４に搬送する。このスロート１１内に鋼帯９を挟んで上下にシールロール１０−１．１０−２で１対のシールロールを間隔をあけて２組配置している。シールロール１０−１．１０−２は鋼帯の上下面に対向してシールロール面が接触するように配置しても良いが、図３に示すように鋼帯９の下部に位置するシールロール１０−１に対して鋼帯９の走行方向にずらして配置してもよい。図３では鋼帯９の走行方向に上部のシールロール１０−２をずらして配置した１対のシールロールを２対配置しいている。そしてこの対のシールロールの間から雰囲気ガスを排出する雰囲気ガス排出管１３を設置している。急冷帯４の雰囲気ガスは水素濃度が５０％以上に雰囲気ガスが使用され、徐冷帯３では水素濃度が５〜１０％でその残りの窒素ガスを混合した雰囲気ガスが使用されている。雰囲気ガス排出管１３により吸引された雰囲気ガスはガス精製装置で水素ガスと窒素ガスに分離され、水素ガスは急冷帯４に戻されて循環使用される。一方、急冷帯４の出側にも同様にシール装置１０を配置し、前記と同様に使用される。
【００１８】
また、シール部の炉内圧力分布は図４に実線で示すように徐冷帯３と急冷帯４の間にシール装置１０を設置した場合、徐冷帯３側の圧力Ａ＜シールロール間の圧力Ｂ＜急冷帯側の圧力Ｃ・・・▲１▼となるように調整してシールロール間から雰囲気ガスを排出する。例えば、徐冷帯３側の圧力を１ｍｍＡｑ、シールロール間の圧力を１．５ｍｍＡｑ、急冷帯４側の圧力を２ｍｍＡｑに調整することで、徐冷帯４側の雰囲気ガスを吸引することなく雰囲気ガスを排出することができる。このように圧力を調整して雰囲気ガスを排出することで、高水素濃度の雰囲気ガスを吸引してガス精製装置１６に供給できるので、ガス精製装置１６の容量をコンパクトにすることができる。また、徐冷帯３側の徐冷帯３とシール装置１０の間にはシールロールからリークする雰囲気ガスを排出する雰囲気ガス排出管１８を設置している。
この雰囲気ガス排出管１８により徐冷帯３側にリークする雰囲気ガスを吸引して、雰囲気ガス排出管１８に連結したミキサ１９に供給して窒素ガスと混合して濃度を調整し、徐冷帯３に供給して徐冷帯３の雰囲気ガスとして再使用している。
【００１９】
また、急冷帯４の出側についても同様に、急冷帯４出側と過時効帯５入側を連結し、このスロート内に急冷帯４側ボトムロールを介して過時効帯５入口のボトムロールにより鋼帯９を搬送する。そして、鋼帯９の上下面にシールロール１０−１．１０−２を鋼帯９を挟んで配置した１対をなすシールロールを鋼帯の走行方向に間隔をあけて２対配置している。そしてこのシールロールの間から雰囲気ガスを排出する雰囲気ガス排出管１３を設け、雰囲気ガスを吸引する。吸引された雰囲気ガスは雰囲気ガス排出管１３に連結されたガス精製装置１６により分離され、分離された水素ガスは急冷帯４に導入されて冷媒として再使用される。
【００２０】
また、急冷帯４の出側で過時効帯５の入側には、シール装置１０から過時効帯５側にリーク雰囲気ガスを排出する雰囲気ガス排気管１８を設けている。リークする雰囲気ガスを雰囲気ガス排出管１８により吸引して、雰囲気ガス排出管１８に連結したミキサ１９に導入して雰囲気ガスの濃度を調整して過時効帯５に導入する。
急冷帯４と過時効帯５の間に設置したシール装置の圧力バランスは、図４の点線で示すように、急冷帯４出側の圧力Ａ＞シールロール間の圧力Ｂ＞過時効帯５入側の圧力Ｃ・・・▲２▼とし、急冷帯４出側の圧力Ｃを２ｍｍＡｑ、シールロール間の圧力Ｂを１．５ｍｍＡｑ、過時効帯５入側の圧力Ａを１ｍｍＡｑに調整する。このように調整することで過時効帯５側の雰囲気ガスが急冷帯４に侵入することはない。
また、このように圧力を調整することで、シールロール間から吸引する雰囲気ガスは急冷帯４側の高水素濃度の雰囲気ガスを吸引してガス精製装置１６に供給できるので、ガス精製装置１６の容量をコンパクトにすることができる。
【００２１】
図３は本発明のシール装置の具体例を示す。
図３において、鋼帯９が矢印の方向に走行している場合、鋼帯９の下部に鋼帯９の下面にシールロール１０−１の表面が接触するように配置する。そして、そのシールロール１０−１に対応するシールロール１０−２を鋼帯９の上面にシールロール１０−２の表面が接触するように配置する。鋼帯９上面に配置したシールロール１０−２は鋼帯の走行方向に鋼帯の下部に配置したシールロール１０−１より離間して配置している。
この離間寸法はｔｍａｘ≦Ｌ≦５０（ｍｍ）・・・▲３▼の範囲で設定する。
ここで、ｔｍａｘは処理される材料の最大板厚（ｍｍ）でＬはロール間距離（ｍｍ）である。この範囲に設定することで、シールロールによる接触疵や異物の噛み込みにより疵の発生は防止できる。つまり、シールロール１０−１および１０−２を鋼帯９を挟んで上下に対向させて配置した場合、上下シールロール間の隙間は通過する板厚の最大厚みの隙間に設置する。しかし最大板厚の鋼帯９が上下シールロール間を通過する際、上下シールロールに挟まれることになり、鋼帯へのすり疵や異物噛み込み疵が発生しやすくなる。そこで図３に示すように下部シールロール１０−１より鋼帯の走行方向にシールロールを通過する最大板厚を超える隙間だけずらすことで、上下シールロールによる現象が生じることなく通過する鋼帯への疵も防止できる。また、上部シールロール１０−２の鋼帯の走行方向への離間距離は５０ｍｍを超えると図５に示すようにシール効果が悪化するので５０ｍｍ以下とすることが必要である。
【００２２】
【発明の効果】
以上のように、１対のシールロールを２対配置して、シールロール間から雰囲気ガスを排気し、循環して使用するようにしたので、隣接する異種雰囲気の雰囲気ガスが混合することがない。また、炉圧を調節して排気するので、ガス精製装置の容量もコンパクトにできる。
また、シールロールを鋼帯の走行方向に離間して設置しているので、シールロール部を通過する鋼帯には圧下力が発生せず、シールロールによりスリップ疵や噛み込み傷が発生しないなど、産業上有用な著しい効果を奏する。
【図面の簡単な説明】
【図１】本発明の雰囲気ガスのシール装置を設置した熱処理炉を例示する図である。
【図２】本発明の雰囲気ガスのシール装置を設置した熱処理炉を例示する図である。
【図３】本発明の雰囲気ガスのシール装置におけるシール部を例示する図である。
【図４】本発明を採用した場合の炉内圧力分布を示す図である。
【図５】シールロールの離間寸法とリーク量の関係を示す図である。
【符号の簡単な説明】
１・・・加熱帯、２・・・均熱帯、３・・・徐冷帯、４・・・急冷帯、
５・・・過時効帯、６・・・最終冷却帯、７・・・トップロール、
８・・・ボトムロール、９・・・鋼帯、１０・・・シール装置、
１０−１・・・シールロール、１０−２・・・シールロール、
１０−３・・・シール板、１１・・・スロート、１２・・・冷却装置、
１３・・・雰囲気ガス排気管、１４・・・オリフィス、１５・・・流量調整弁、１６・・・ガス精製装置、１７・・・屋外排気管、
１８・・・雰囲気ガス排気管、１９・・・ミキサ、２０・・・Ｎ２ガス供給管、２１・・・ミックスガス導入管
【図１】
2005060738.tif 000007
【図２】
2005060738.tif 000008
【図３】
2005060738.tif 000009
【図４】
2005060738.tif 000010
【図５】
2005060738.tif 000011